(57)【要約】【課題】  容易に異物補足手段を取り付けることが可能な水洗大便器を提供する。【解決手段】  洗浄水によって洗浄され汚物を排出するとともに、異物を補足する異物補足手段が取り付けられる水洗大便器であって、ボウル形状の汚物受け面を有するボウル部と、ボウル部へ洗浄水を吐水する吐水部と、汚物受け面の下部に接続された入口管路と、入口管路の下流端から上方に向けて延びた上昇管路と、上昇管路から下方に向けて延びた下降管路と、を有する排水路と、を備え、入口管路の上流端部から上昇管路の上流端部に至るまでの流路に異物補足手段を固定する固定部を設ける水洗大便器。【選択図】  図１
2018044322.tif 000002
【特許請求の範囲】
【請求項１】
洗浄水によって洗浄され汚物を排出するとともに、異物を補足する異物補足手段が取り付けられる水洗大便器であって、
ボウル形状の汚物受け面を有するボウル部と、
前記ボウル部へ洗浄水を吐水する吐水部と、
前記汚物受け面の下部に接続された入口管路と、前記入口管路の下流端から上方に向けて延びた上昇管路と、前記上昇管路から下方に向けて延びた下降管路と、を有する排水路と、を備え、
前記入口管路の上流端部から前記上昇管路の上流端部に至るまでの流路に前記異物補足手段を固定する固定部を設ける水洗大便器。
【請求項２】
前記固定部は、前記上昇管路の上流端部に形成された請求項１に記載の水洗大便器。
【請求項３】
前記固定部は、前記上昇管路の周方向に形成された溝である請求項２に記載の水洗大便器。
【発明の詳細な説明】
【技術分野】
【０００１】
本発明は、洗浄水によって洗浄され汚物を排出する水洗大便器に関する。
【背景技術】
【０００２】
水洗大便器として、便器の排水路の内部と連通して外部に開口した掃除口と、掃除口蓋とを備えたものが知られている（例えば、特許文献１参照）。この種の水洗大便器においては、排水路にカード類や錠果のケース等の異物が詰まってしまいラバーカップなどで対処できないような場合においても、便器を取り外すことなく排水路内の異物を除去することができる。
【先行技術文献】
【特許文献】
【０００３】
【特許文献１】特許第４７５６４３５号公報
【発明の概要】
【発明が解決しようとする課題】
【０００４】
上述した水洗大便器においては、掃除口蓋を開くに際してそのためのスペースが、掃除口が設けられた便器側方や便器前方の空間に求められる。また、同様に、掃除口から異物を取り出す際にも、そのためのスペースが、掃除口が設けられた便器側方や便器前方の空間に求められる。そのため、設置環境によっては、掃除口を使用できない、あるいは、掃除口蓋を開きにくく、異物を掃除口から取り出しにくいという懸念がある。
一方、排水路中に、異物を補足する異物補足手段を取り付けることが考えられるが、取り付ける場所によっては、異物補足手段を取り付けにくく、また、補足された異物を取り出しにくいという懸念がある。
【０００５】
本発明は、上述した問題を解決するためになされたものであり、容易に異物補足手段を取り付けることが可能な水洗大便器を提供することを目的とする。
【課題を解決するための手段】
【０００６】
本発明は、洗浄水によって洗浄され汚物を排出するとともに、異物を補足する異物補足手段が取り付けられる水洗大便器であって、ボウル形状の汚物受け面を有するボウル部と、ボウル部へ洗浄水を吐水する吐水部と、汚物受け面の下部に接続された入口管路と、入口管路の下流端から上方に向けて延びた上昇管路と、上昇管路から下方に向けて延びた下降管路と、を有する排水路と、を備え、入口管路の上流端部から上昇管路の上流端部に至るまでの流路に異物補足手段を固定する固定部を設ける水洗大便器である。
【０００７】
このように構成された本発明においては、入口管路の上流端部から上昇管路の上流端部に至るまでの流路に異物補足手段を固定する固定部を設けるため、固定部により容易に異物補足手段をボウル部の上方から取り付けることができる。また、ボウル部の上方から異物補足手段にアクセスすることができるため、補足された異物を容易に取り出すことができる。
【０００８】
また、本発明は、好ましくは、固定部は、上昇管路の上流端部に形成される。
【０００９】
このように構成された本発明においては、固定部は、上昇管路の上流端部に形成されるため、より容易に異物補足手段をボウル部の上方から取り付けることができる。また、ボウル部の上方から異物補足手段により容易にアクセスすることができるため、補足された異物をより容易に取り出すことができる。
【００１０】
また、本発明は、好ましくは、固定部は、上昇管路の周方向に形成された溝である。
【００１１】
このように構成された本発明においては、リング状の本体部を備える異物補足手段を容易にボウル部の上方から取り付けることができる。
【発明の効果】
【００１２】
本発明の水洗大便器によれば、容易に異物補足手段が取り付けることが可能である。
【図面の簡単な説明】
【００１３】
【図１】本発明の一実施形態による水洗大便器を示す断面図。
【発明を実施するための形態】
【００１４】
以下、図面を参照して本発明の一実施形態による水洗大便器について説明する。
まず、図１により本発明の一実施形態による水洗大便器の構成について説明する。図１は本発明の一実施形態による水洗大便器を示す断面図である。
図１に示すように、本発明の一実施形態に係る水洗大便器１００は、サイホン作用により汚物を押し流す、いわゆる、サイホン式の水洗大便器であり、この水洗大便器１００は、床面Ｆに載置される陶器製の便器本体１２０を備え、この便器本体１２０の上部の前方側には上方に向けて開口するボウル部１２２が形成され、便器本体１２０の後方側の上方には貯水タンク（図示せず）が設置されている。
【００１５】
ボウル部１２２は、ボウル形状に形成されている汚物受け面１２４と、その上縁部に形成されるリム部１２６を備えている。
【００１６】
汚物受け面１２４には、溜水部１２８が形成され、初期水位の溜水面がＷ０で示されている所定量の溜水が貯留されている。汚物受け面１２４における溜水部１２８の下部には、排水路１４０の入口管路１４２が接続されている。
【００１７】
リム部１２６の後方側にはリム吐水口１２７（吐水部）が開口されている。リム吐水口１２７は、貯水タンク（図示せず）から供給される洗浄水を吐水してボウル部１２２内に旋回流を形成し、汚物受け面１２４の汚物を洗浄する。
【００１８】
図１に示すように、排水路１４０は、ボウル部１２２の汚物受け面１２４の下部に接続された入口管路１４２と、入口管路１４２の下流端から上方に向けて斜めに延びる上昇管路１４４と、この上昇管路１４４から鉛直方向下方に向けて延びる下降管路１４６とを有している。このような上昇管路１４４及び下降管路１４６を有する排水路１４０は、排水トラップ管路を構成しており、上昇管路１４４の下流端の底面（下降管路１４６の上流端の底面）により溜水面Ｗ０の高さ位置が規定される。
また、下降管路１４６の下流端は排水ソケット（図示せず）を介して排水配管（図示せず）に接続されている。
【００１９】
また、図１に示すように、ボウル部１２２の底部には、排水路１４０の上昇管路１４４の上流端部１４２ａに差し向けられるようにゼット吐水口１２９が開口されている。ゼット吐水口１２９は、貯水タンク（図示せず）から供給される洗浄水を吐水して汚物を上昇管路１４４へ押し込むとともに、サイホン作用の発生を促す。
【００２０】
次に、図１に示すように、排水路１４０の上昇管路１４４の上流端部には、上昇管路１４２の周方向に溝１６０（固定部）が形成されている。上昇管路１４４の上流端部は、ゼット吐水口１２９と対向しており、汚物受け面１２４から上昇管路１４４の下流端（溜水面Ｗ０の位置）に至る流路における最も低い位置に位置している。
【００２１】
溝１６０は異物を補足する異物補足手段を挿入して固定することができる固定部である。異物補足手段は、例えば、リング状の本体部と、汚物を破砕及び／又は通過させつつ異物を補足できるように本体部に設けられた網条部、あるいは、本体部の一端から一端に亘って設けられた線状の補足部とを備える。
【００２２】
上述した本発明の一実施形態による水洗大便器１００によれば、入口管路１４２の上流端部から上昇管路１４４の上流端部に至るまでの流路に異物補足手段を固定する溝１６０を設けるため、溝１６０により容易に異物補足手段をボウル部１２２の上方の開口から取り付けることができる。また、ボウル部１２２の上方から異物補足手段にアクセスすることができるため、補足された異物を容易に取り出すことができる。
【００２３】
また、上述した本発明の一実施形態による水洗大便器１００によれば、溝１６０は、上昇管路１４４の上流端部に形成されるため、より容易に異物補足手段をボウル部１２２の上方から取り付けることができる。また、ボウル部１２２の上方から異物補足手段により容易にアクセスすることができるため、補足された異物をより容易に取り出すことができる。
【００２４】
さらに、上述した本発明の一実施形態による水洗大便器１００によれば、異物補足手段を固定するための固定部が上昇管路１４４の周方向に形成された溝１６０であるため、例えばリング状の本体部を備える異物補足手段を、挿入することにより、容易にボウル部１２２の上方から取り付けることができる。
【符号の説明】
【００２５】
１００    水洗大便器
１２０    便器本体
１２２    ボウル部
１２４    汚物受け面
１２６    リム部
１２７    リム吐水口（吐水部）
１２８    溜水部
１２９    ゼット吐水口
１４０    排水路
１４２    入口管路
１４４    上昇管路
１４６    下降管路
１６０    溝（固定部）
Ｆ        床面
Ｗ０      溜水面
【図１】
2018044322.tif 000003